(57)【要約】【課題】ハーネスの拘束を行った上で、組み付け作業性に優れるパチンコ機用電子部品を提供することを目的とする【解決手段】通過チャッカー２５は通過検出スイッチ２７、ホルダ３０、及び通過検出スイッチ２７の端部に接続されハーネス４５を主体として構成されている。このうち、ホルダ３０はカバー部３１、座面部３５、及び通過検出スイッチ２７の左右両端面を挟持する支持アーム３６を設けてなり、更に、この支持アーム３６間には通過検出スイッチ２７を覆う、保護壁４１が設けられている。この保護壁４１と通過検出スイッチ２７の上面２７Ａとの間には隙間が設けられており、そこは、ハーネス４５を保持可能な収容部４３とされている。従って、この収容部４３内にハーネス４５を短く折り返した状態に挿入してやれば、その向きにハーネス４５を保持することが出来るから、組み付け作業時にハーネス４５が邪魔となることがない。【選択図】  図３
2004267366.tif 000002
【特許請求の範囲】
【請求項１】
ホルダ付きの電子部品本体から遊技盤の裏面側に引き出されるハーネスを備えたパチンコ機用電子部品であって、
前記ホルダには、前記ハーネスの正規接続作業が開始されるまでの間或いは正規接続作業が完了した後に、前記遊技盤の裏面側において前記ハーネスを保持しておく保持部が一体的に形成された構成であることを特徴とするパチンコ機用電子部品。
【発明の詳細な説明】
【０００１】
【発明の属する技術分野】
本発明は、パチンコ機の遊技盤に取り付けて使用するパチンコ機用電子部品に関する。
【０００２】
【従来の技術】
パチンコ機の遊技盤には遊技状態を検知したり、或いはそれに基づいて遊技状態を種々変化させることを目的として電子部品が取り付けられる。これら電子部品は電子部品本体、電子部品本体を保護するためのホルダ、接続用のハーネス（電子部品本体に固定されている）を主体として構成される。これら電子部品は遊技盤を前後に貫通して取り付けられるとともに、遊技盤の裏面側にハーネスが引き出されるようになっている（特許文献１）。
電子部品を備えた遊技盤の製造手順は一般的には、遊技盤をまず表向き（上向き）にして生産ライン上に流し、遊技盤の表面側から電子部品及び遊技球を案内する誘導釘等の組み付けが行なわれ、その後、ライン上において遊技盤を表裏反転させ、今度は、遊技盤の裏面側を表に向けた状態で電気系統の接続、すなわち引き出されたハーネスの接続作業等を行うことにより製造される。
このように、遊技盤は表面側、裏面側の双方において組み付け作業を行うから遊技盤を表裏逆にする工程が必要となる。
【０００３】
【特許文献１】
特開平１３−２６９４４７号公報
【０００４】
【発明が解決しようとする課題】
上記構造によると、電子部品本体のハーネスは遊技盤の裏面側に配されるが、何ら拘束手段を持たないため遊技盤を表裏反転させる作業の際に遊んでしまう。そのため、反転作業中（遊技盤の裏面側を表に向けた状態）には、その位置が定まらず、場合によっては隣接する遊技盤のハーネス同士が絡み合ったり、また、他の部品を組み付けるためのスペースに被ってしまい、そこから、ハーネスを避けるための作業を行っていた。以上のことからパチンコ機の製造効率の低下を招く要因の一つとなっていた。
そこで対策案として、予めハーネスを輪ゴム等で拘束しておき、接続作業を行う際に輪ゴムを取り外すといった措置が考えられるが、このような場合であっても、輪ゴムの取り外しに時間がかかってしまうし、取り外した輪ゴムが散乱し作業の邪魔となる。
本発明は上記のような事情に基づいて完成されたものであって、ハーネスの拘束を行った上で、組み付け作業性に優れるパチンコ機用電子部品を提供することを目的とする。
【０００５】
【課題を解決するための手段及び作用・効果】
上記の目的を達成するための有効な手段とその作用効果を以下に示す。
手段１．ホルダ付きの電子部品本体から遊技盤の裏面側に引き出されるハーネスを備えたパチンコ機用電子部品であって、
前記ホルダには、前記ハーネスの正規接続作業が開始されるまでの間或いは正規接続作業が完了した後、前記遊技盤の裏面側において前記ハーネスを保持しておく保持部が一体的に形成された構成であることを特徴とするパチンコ機用電子部品。
このような構成とすれば、ハーネスの正規接続作業が開始されるまでの間、或いはその後において、遊技盤の裏面側においてハーネスを保持しておくことができるから、ハーネスが周辺作業の邪魔になることがない。また、保持部が一体的に取り付けられた構成であることから、組付け作業時にホルダより外されて組付けライン上に散乱することもない。
尚、ここで保持とは、正規接続作業（ハーネスを他の電気部品に接続するための作業）が開始されるまでの間ハーネス全体を仮に保持しておく仮保持と、正規接続が完了した後においてもハーネスの一部を補助的に保持しておく一部保持の双方を含むものである。
【０００６】
手段２．手段１のものにおいて、前記保持部は前記ハーネスを前記ホルダの外形内に仮保持可能な構成である。
このような構成とすれば、仮保持状態において、ハーネスがホルダの外形から不必要に飛び出すことがない。従って、パッケージの時に、取り扱い易い形態となる。
【０００７】
手段３．手段２のものにおいて、前記保持部は、前記電子部品本体を前記遊技盤に設けられた取り付け孔に差し込む前の状態において、前記ハーネスを前記取り付け孔に直接差し込み可能な形態に仮保持可能な構成である。
このような構成としておけば、パチンコ機用電子部品を遊技盤に取り付ける際に、ハーネスと取り付け孔が干渉することがないから、組み付け作業を円滑に行うことが出来る。
【０００８】
手段４．手段３のものにおいて、前記保持部は前記ハーネスを前記取り付け孔への挿入方向に沿う向きに仮保持可能な構成である。
このような構成とすれば、仮保持状態において、ハーネスが遊技盤の奥行き方向に引き出されることとなるから、取り付け孔を小さく設定することが出来る。
【０００９】
手段５．手段１ないし手段３のものにおいて、前記保持部は前記ハーネスを遊技盤の裏面に沿う向きに保持可能な構成である。
このような構成とすれば、保持状態において、遊技盤の裏面側へ突き出るハーネスの突出量を少なく設定することが出来る。
【００１０】
手段６．手段１ないし手段５のものにおいて、前記ホルダには前記保持部が異なる場所に複数個設けられるとともに、前記ハーネスはこれら複数個の保持部によって保持される構成である。
このような構成とすれば、ハーネスの複数箇所を保持することが出来るからハーネスの保持が安定する。
【００１１】
手段７．手段１ないし手段５のものにおいて、前記ホルダにおける前記電子部品本体を基準とした対象位置に前記保持部が一対設けられるとともに、前記ホルダを仮保持する際に、これら保持部を選択的に使用することで前記ハーネスの配索方向を選択可能な構成である。
このような構成とすれば、仮保持状態において、ハーネスの配索方向を選択でき使い勝手がよい。例えば、遊技盤上にパチンコ機用電子部品が一対あって、かつこれら電子部品の間に大きな装置（例えば、可変表示装置等）が配される場合には、ハーネスを可変表示装置を避けてそれぞれを逆方向（例えば、一方側を右方向、他方側を左方向）に仮保持しておく必要がある。従って、配索方向を選択可能な構成とすることで、これら要請に対応できる。
【００１２】
手段８．手段１ないし手段５、又は手段７のものにおいて、前記ハーネスの端部にコネクタが接続されたものにおいて、前記保持部は前記ハーネスのうちコネクタ部分を仮保持する構成である。
このような構成としておけば、支持が安定する。
【００１３】
手段９．手段１ないし手段８のものにおいて、前記保持部は内部に前記ハーネスを折り返した状態で収容可能な収容部を形成するとともに、その端面に前記ハーネスを前記収容部に出入りさせるための出入り口を形成してなる構成である。
このような構成とすれば、ハーネスを折り返した状態にしておき、出入り口から収容部に差し込んでやれば、押し込まれたハーネスは収容部の内壁によって位置規制される（ハーネスの仮保持）。一方、正規接続作業を行う場合には、出入り口よりハーネスを引き出してやれば簡単にハーネスを展張させることが出来る。
【００１４】
手段１０．手段９のものにおいて、前記ホルダには前記電子部品本体を保護するための保護壁が設けられるとともに、前記電子部品本体の側面と前記保護壁の壁面との間の隙間によって前記収容部が形成された構成である。
このような構成とすれば、ホルダに電子部品本体の側面と対面するような保護壁を設けておけば、両部品を組み付けることで収容部が形成される。
従って、収容部全体をホルダに設定する形式と比較して、ホルダの加工が容易である。
【００１５】
手段１１．手段１ないし手段８のものにおいて、前記保持部は前記ホルダに設けられた基部との間に、前記ハーネスを保持するための係止溝を保有する片持ちの弾性片よりなる構成である。
このような構成としておけば、常には係止溝内にハーネスを挟み込んで保持しておくことができる。また、解除方向に弾性片を撓ませてやれば、係止溝が広がりハーネスの保持が解かれる。このように、保持及びその解除を弾性片の撓み動作を利用する構成としておけば、ハーネスの保持を容易に解除することができる。
【００１６】
手段１２．手段１１のものにおいて、前記弾性片は、その先端側に前記基部側に突出し前記係止溝をほぼ閉止させるような抜止め突起を設けて、常には前記ハーネスを前記係止溝内に保持する一方、解除方向に弾性変位することで前記基部より離間して前記ハーネスを前記係止溝より解放させる構成である。
このような構成としておけば、抜止め突起が係止溝をほぼ閉止するからハーネスがしっかりと抜止めされ保持が安定する。
【００１７】
手段１３．手段１２のものにおいて、前記ハーネスは前記弾性片を巻き込むように回曲され、かつその一端側が前記係止溝に差し込まれて保持されるものにおいて、前記弾性片の先端部分における前記抜止め突起が設けられた側と反対側の側面には、前記反対側の側面に沿って位置するハーネスに当接することで前記抜止め突起と共に前記ハーネスを保持する外れ止め突起が突出形成された構成である。
このような構成とすれば、ハーネスは抜止め突起と、外れ止め突起によって二重に抜止めされるから保持状態（特に、仮保持状態）が安定する。従って、運搬作業中などに外れることがない。
【００１８】
手段１４．手段１１ないし手段１３のものにおいて、前記ホルダは、前記遊技盤の表面部分に当接して前記電子部品本体の位置決めを行う座面部と、前記座面部の裏面側にあって、前記電子部品本体を挟持可能な平行な姿勢から外側に拡開することで前記電子部品本体の支持を解除する一対の支持アームを備えてなるとともに、この支持アームに対し前記弾性片が一体に形成されたものにおいて、前記弾性片の撓み方向は、前記支持アームが拡開する方向とほぼ直交する構成である。
このような構成とすれば、ハーネスの仮保持解除動作、すなわち、弾性片を撓ませる動作をおこなっても、その動作に影響されて支持アーム側が拡開することがない。そのため、支持アームから電子部品本体が脱落する虞がなく、支持の信頼性が高まる。
【００１９】
手段１５．手段１ないし手段８のものにおいて、前記保持部は前記ハーネスを巻き付けるためのアーム部の先端に、前記アーム部に巻かれたハーネスを抜止めするためのフック部を備えた鉤型係止爪よりなる構成である。
このような構成としておけば、ハーネスを回曲された後、アーム部に巻き付けてやれば、巻かれたハーネスはフック部によって抜止めされる。これにより、ハーネスは保持される。
【００２０】
【発明の実施の形態】
＜第１実施形態＞
本発明の第１実施形態を図１ないし図７によって説明する。
本実施形態は本発明に係るパチンコ機用電子部品をパチンコ機用通過チャッカー２５（以下、単に通過チャッカー２５とする）に適用したものである。
図１は遊技盤１０の正面図を示すものであって、遊技盤１０の表面１０Ａ側には普通入賞口１１、可変入賞装置１２、作動口１３、可変表示装置１５、内レール１６、外レール１７、誘導釘１８等が配設されている。ここで、内レール１６及び外レール１７は遊技球発射装置（図示せず）により発射された遊技球１９を遊技盤１０の上部に案内するためのガイド部材である。遊技球１９は遊技盤１０に上部に案内された後、遊技盤１０の面に沿って落下する。このとき、前記普通入賞口１１、作動口１３に遊技球１９が入賞することにより遊技者に対して所定数の景品球が払い出される。
【００２１】
可変入賞装置１２は、通常、遊技球１９が入賞出来ない状態又は、入賞し難い状態になっている。より詳しくは、作動口１３に対して遊技球１９が入賞することに基づいて、遊技盤１０の中央部に配設された可変表示装置１５の図柄がランダムに変動する。そして、停止した図柄が特定の組み合わせであることを必要条件に可変入賞装置１２が所定時間、所定回数だけ開いて、遊技球１９が入賞しやすい状態となるように構成されている。
【００２２】
可変表示装置１５の左右両側には遊技盤１０を前後に貫通する一対の取り付け孔１４が設けられており、そこには、通過チャッカー２５が取り付けられている。遊技球１９が通過チャッカー２５を通過するとそれに応じて、可変表示装置１５の上部に設けられた普通図柄変動装置１５Ａが作動する構成となっている。本実施形態においては、普通図柄変動装置１５Ａは「０」から「９」までの数字を可変表示するように構成されており、所定の数字（本実施形態では「７」）で停止した場合に、作動口１３の開閉羽根１３Ａを一定時間開放させる。
【００２３】
尚、本実施形態では、遊技者の操作に応じて変化するパチンコ機の遊技状態を検出すべく、遊技盤１０には種々の検出スイッチ（後述する通過検出スイッチ２７も含まれる）が取り付けられている。これら検出スイッチにより、遊技球１９の作動口１３への入賞、或いは通過チャッカー２５の通過等が検出されるようになっている。また、遊技盤１０の裏面１０Ｂ側には平板状をなす集合板２２を介して制御基板２１が複数取り付けられている（図７参照）。この制御基板２１は各検出スイッチの検出結果に基づき可変入賞装置１２、可変表示装置１５等を駆動させるものであり、読み出し専用メモリ（ＲＯＭ）、中央演算装置（ＣＰＵ）、ランダムアクセスメモリ（ＲＡＭ）等を備えてなる。ＲＯＭは所定の制御プログラムや初期データを予め記憶しており、ＣＰＵはＲＯＭの制御プログラム等に従って、各種演算処理を実行する。
【００２４】
次に通過チャッカー２５について説明する。
図２、図３に示すように、通過チャッカー２５は遊技球１９の通過の有無を検出する通過検出スイッチ２７（本発明の電子部品本体に相当する）と、通過検出スイッチ２７の端部に取り付けられるハーネス４５と、通過検出スイッチ２７を取り囲んで保護するためのホルダ３０とを主体として構成されている。
【００２５】
ホルダ３０は遊技盤１０の表面１０Ａ側に当接する座面部３５を有してなる。本実施形態において座面部３５は横長に形成されるとともに、その輪郭は魚をあしらった形状をなす。座面部３５の中央部分には通過検出スイッチ２７を後方より挿通させるための挿通孔３５Ａが前後に貫通して設けられている。
【００２６】
座面部３５の表面側（図２の左側）にはコの状に形成されたカバー部３１が一体に形成されている。カバー部３１は上下方向に貫通しており、遊技球１９を挿通可能としている。また、カバー部３１の内面側には内方に開口し、通過検出スイッチ２７を差し込み可能なコの字状の支持溝３２を設けている。
一方、座面部３５の裏面側には一対の支持アーム３６、３７が形成されている。両支持アーム３６、３７間の間隔は通過検出スイッチ２７とほぼ同幅に形成されている。これら支持アーム３６、３７及びカバー部３１は互いに連通するように形成されており、支持アーム３６、３７側より挿通孔３５Ａを通じてカバー部３１の支持溝３２に通過検出スイッチ２７を差し込むことが出来るようになっている。
【００２７】
続いて、支持アーム３６、３７について説明すると、その基端側は上縁同士が保護壁４１によって架設されるとともに、両支持アーム３６、３７の下縁には内向きに屈曲するガイド壁３８が形成されている。このうち、保護壁４１は通過検出スイッチ２７の上面２７Ａ側を覆って保護するためのものであり、ガイド壁３８は通過検出スイッチ２７を取り付ける際の案内となるものである。
【００２８】
一方、通過検出スイッチ２７の長さ寸法は丁度ホルダ３０に収容される大きさに形成されている。すなわち、通過検出スイッチ２７がホルダ３０に組み付けられた状態（カバー部３１へ差し込まれた状態）において、通過検出スイッチ２７の後端部分と支持アーム３６、３７の後端部分とが整合するようになっており、更に、この組み付け状態において、通過検出スイッチ２７はホルダ３０の支持アーム３６（同図において右側の支持アーム）によって抜止めされるようになっている。より具体的に説明すると、左側の支持アーム３７にはその全長に亘ってガイド壁３８が形成されているが、右側の支持アーム３６は、基端側において下縁部分が切りかかれている。そのため、ガイド壁３８が基端寄りの位置で途切れており、通過検出スイッチ２７の右端面２７Ｂに沿う縦壁部分のみが後方に延出している。この縦壁部分は弾性的に拡開可能とされ、その先端部分には内向きのロック爪３９が形成されている。この右側の支持アーム３６は通過検出スイッチ２７をホルダ３０に対して取り付ける際には水平方向外側に弾性的に変位して通過検出スイッチ２７の差し込み動作を許容し、通過検出スイッチ２７がホルダ３０内に収容された時には復帰して通過検出スイッチ２７の後端に係止する。
【００２９】
通過検出スイッチ２７は前記したホルダ３０のカバー部３１に差し込まれる部分（遊技盤１０の表面１０Ａ側に突き出る部分）に、遊技球１９を通過させる検知孔２８を開口している。この通過検出スイッチ２７は通過型の近接スイッチを構成しており、遊技球１９が検知孔２８を通過するとそれを電気信号として検出するようになっている。検出方法については、例えば、検知孔２８に電流を流しておき、遊技球１９の通過による磁界変動を測定する方法や、通過する遊技球１９による光遮蔽を光センサーによって検知する方法、或いはマイクロスイッチを用いる方法等があるが、いずれの方法をも採用し得る。
【００３０】
ハーネス４５は両端にそれぞれコネクタ４６、４７を備えており、コネクタ４６が通過検出スイッチ２７の後端に抜止めされた状態で差し込まれている。そして、通過チャッカー２５が遊技盤１０に対して取り付けられる際に、ハーネス４５は通過検出スイッチ２７と共に遊技盤１０の取り付け孔１４に差し込まれ、遊技盤１０の裏面１０Ｂ側に引き出されるようになっている。
【００３１】
ところで、前記ホルダ３０には、通過チャッカー２５を遊技盤１０に取り付ける前の状態において、ハーネス４５を短く折り返した状態に仮保持しておくための収容部（本発明の保持部に相当するものである）４３が形成されている。
具体的に説明すると、図３に示すように、ホルダ３０に形成された保護壁４１と、組み付けられた通過検出スイッチ２７の上面２７Ａとの間には隙間が設定されており、この通過検出スイッチ２７の上面２７Ａと保護壁４１の内壁とによってハーネス４５を挟持可能な収容部４３が形成されている。収容部４３は前後に貫通し、座面部３５の後方からカバー部３１側に向かってハーネス４５を差し込むことが出来るようになっている。
【００３２】
そのため、同図に示すように、ハーネス４５を予め細長いループ状に束ねておき、その状態でハーネス４５を収容部４３内に押し込むと、ハーネス４５は、その先端側が収容部４３、座面部３５の挿通孔３５Ａを通過してカバー部３１の内側壁３１Ａに当接する位置まで差し込まれる。このとき、ハーネス４５は自身の弾性によって幅方向に広がりながら差し込まれるが、ある程度広がったところでハーネス４５の外周部分が収容部４３の内側壁に当接し、その状態で位置規制される。従って、作業者が手を離しても、ハーネス４５はホルダ３０に差し込まれた部分が収容部４３の左右内側壁及び、カバー部３１の左右内側壁３１Ａに沿った姿勢に保持されるとともに、ホルダ３０より突出する部分についても、収容部４３の左右両側からほぼ平行に伸び、かつその幅寸法が収容部４３の幅寸法内に収まるような形態に矯正させる。これにて、ハーネス４５は遊技盤１０の奥行き方向、すなわち、取り付け孔１４への挿入方向に沿う向きに仮保持される。
【００３３】
この収容部４３は、正規接続作業が開始されるまでの間、ハーネス４５を仮保持させることを目的としており、ハーネス４５の仮保持を解く場合には、コネクタ４７を摘んでハーネス４５全体を収容部４３より引き出してやればよい。尚、収容部４３の後側の開口４３Ａが本発明の出入り口に相当するものである。
また、ホルダ３０の座面部３５の左右両側にはホルダ固定用のねじ孔３５Ｂが穿設されるとともに、同じく座面部３５の左右両側には内向きに一対の位置決め突起３５Ｃが突出形成される一方、遊技盤１０にはホルダ３０の位置決め突起３５Ｃと嵌合する位置決め孔１４Ａがそれぞれ設けられている。
【００３４】
次に、上記した通過チャッカー２５を遊技盤１０に対して取り付ける作業手順について図４ないし図７を参照して説明する。
まず、通過チャッカー２５自体の組み付けを行うには、ロック爪３９が設けられた側の支持アーム３６を水平方向外側に拡開させるとともに、通過検出スイッチ２７をホルダ３０のガイド壁３８に宛ってカバー部３１内へ押し込む。押された通過検出スイッチ２７はガイド壁３８に案内されカバー部３１側へ進入してゆき、やがて、通過検出スイッチ２７の後端が右側の支持アーム３６のロック爪３９を通過すると、右側の支持アーム３６が弾性復帰して通過検出スイッチ２７の後端に係止し、ホルダ３０に対して通過検出スイッチ２７を抜止め状態に保持するようになっている。この状態において、通過検出スイッチ２７の検知孔２８はカバー部３１の開口部分と整合するようになっており、遊技球１９を上下に挿通させることが出来る。
【００３５】
続いて、通過検出スイッチ２７の後端に接続されたハーネス４５を細長いループ状に束ねておき、コネクタ４７がその先端部分に位置するようにしておく。
そして、ハーネス４５を通過検出スイッチ２７の上面２７Ａに沿わせ、その状態から、上面２７Ａとホルダ３０の保護壁４１との間の隙間、すなわち収容部４３に後方から差し込む。そして、ハーネス４５の先端部分がカバー部３１の先端にほぼ当接する位置まで差し込まれれば、通過検出スイッチ２７の組み付けが完了する。
【００３６】
この状態において、差し込まれたハーネス４５は収容部４３内に広がってハーネス４５の外周が収容部４３の内壁に当接する。これにより、図４に示すように、ハーネス４５全体が位置規制され遊技盤１０の取り付け孔１４への挿入方向に沿う向きに仮保持される。また、この仮保持状態において、コネクタ４７は収容部４３内には位置せず、収容部４３からひきだされた先端側に位置している。
このようにして通過チャッカー２５の組み付け作業が行われるが、これらは、遊技盤１０に対する通過チャッカー２５の組み付けと別の工程で行われるため、通過チャッカー２５はまとまった数量が生産されると、一括されて遊技盤１０の生産ラインに送られる。
【００３７】
次に、パチンコ機の製造工程（遊技盤１０に対する通過チャッカー２５の組み付け工程）について説明する。
遊技盤１０は、生産ライン上を複数の遊技盤１０が同時に流されて各工程毎に作業者が個別の組み付け作業を行う流れ作業によって製造される。
まず、遊技盤１０は、図４に示すように生産ラインに表面１０Ａ側を上に向けて流され、表面１０Ａ側の組み付け作業が行われる。すなわち、誘導釘１８が植設されたり、あるいは、可変入賞装置１２及び可変表示装置１５等の各装置が取り付けられる。これら装置の組み付け工程の中で、通過チャッカー２５の取り付けも行われる。
【００３８】
通過チャッカー２５の取り付けを行うには、一括された状態にある通過チャッカー２５を取り出した後、遊技盤１０の取り付け孔１４に対して正対させ、ホルダ３０の位置決め突起３５Ｃが遊技盤１０の位置決め孔１４Ａと合うように位置を合わせを行う。この組み付け前の状態において、ハーネス４５は短く折り返され、かつ遊技盤１０の奥行き方向に向きに仮保持されている。
【００３９】
従って、この状態から、通過検出スイッチ２７を遊技盤１０の表面１０Ａ側より取り付け孔１４に差込んでやれば、ハーネス４５は取り付け孔１４に干渉することなく差し込まれてゆく。そして、ホルダ３０の座面部３５が遊技盤１０の表面１０Ａ側に当接したら、今度は、ホルダ３０をねじ止めしてやれば、通過チャッカー２５全体を遊技盤１０に固定することが出来る。図５は通過チャッカー２５の組み付け状態を示すものであるが、通過検出スイッチ２７の後端側は遊技盤１０の取り付け孔１４内に収容された状態にあり、遊技盤１０の裏面１０Ｂ側には束ねられたハーネス４５の先端側（コネクタ４７）が突出するようになっている。
【００４０】
遊技盤１０の表面１０Ａ側の取り付け作業が完了したら、次に、遊技盤１０の裏面１０Ｂ側において制御基板２１の取り付け及びその配線等の接続作業（本発明の正規接続作業に相当する）を行う。それには、生産ライン上で遊技盤１０を表裏反転させ、図６に示すように、今度は、裏面１０Ｂ側を表に向けた状態で生産ライン上に遊技盤１０を流す。そして、制御基板２１等が取り付けられた集合板２２等の取り付けを行い、その後、装置側と制御基板２１との間を信号線等によって接続する。通過チャッカー２５を制御基板２１に対して接続するには、遊技盤１０の裏面１０Ｂに引き出された状態にあるコネクタ４７を手で掴んで真っ直ぐ引っ張ってやる。そうすると、収容部４３よりハーネス４５全体が引き出されるからハーネス４５の仮保持が解かれる。その後は、図７に示すように、コネクタ４７を制御基板２１側の相手側コネクタ２１Ａに対して差し込んでやれば、配線作業が完了する。
【００４１】
このように、本実施形態によれば、通過チャッカー２５には収容部４３が設けられており正規接続作業が開始されるまでの間、ハーネス４５を仮保持しておくことができるから、遊技盤１０を反転させても隣接する遊技盤１０同士のハーネス４５が絡み合うことがなく、また、ハーネスが周辺の作業の邪魔になることがない。更に、保持部が一体的に取り付けられた構成であることから、組付け作業時にホルダより外されて組付けライン上に散乱することもない。
加えて、構造が簡便であるからホルダ３０の形状が既存の構造と比べて特に複雑化されることがなく、コストアップの要因とならない。
【００４２】
＜第２実施形態＞
次に、本発明の第２実施形態を図８ないし図１１を参照して説明する。
第１実施形態では、ハーネス４５を仮保持するための保持部（収容部）を、保護壁４１と通過検出スイッチ２７との隙間により設定したが、第２実施形態ではホルダ３０に壁体５０を設けるとともに、この壁体５０に対して直接収容部５１を形成している。その他の構成については第１実施形態と同様であるため、同一部品には同一の符号を付し重複した説明を省略するものとする。
【００４３】
図９、図１０において、壁体５０は通過検出スイッチ２７の上面２７Ａに沿って形成されるとともに、壁体５０の後端面（図９）、或いは壁体５０の左端面（図１０）にそれぞれ開口を設けて、ハーネス４５を遊技盤１０の奥行き方向（図９）、或いは遊技盤１０の左右方向（図１０）に仮保持するものである。
一方、図１１は、壁体５０を通過検出スイッチ２７にほぼ直交する向きに設定するとともに、壁体５０の上端面に開口を設けて、ハーネス４５を遊技盤１０の上下方向に沿う向きに仮保持するものである。
【００４４】
このように、ホルダ３０に対して壁体５０を設けるとともに、そこに収容部５１を形成する構成としておけば、ハーネス４５を遊技盤１０の奥行き方向のみならず、遊技盤１０の裏面１０Ｂに沿う方向、すなわち遊技盤１０の左右方向、遊技盤１０の上下方向に仮保持することが出来る。ハーネス４５をこのような形態に仮保持することによって、遊技盤１０に通過チャッカー２５を取り付けた際に、遊技盤１０の裏面側へ突き出るハーネス４５の突出量を少なく設定することが出来る。
また、図１０に示すように、座面部３５の裏面側であって通過検出スイッチ２７の側方には、取り付け座５４が設けられている。この取り付け座５４は、例えばＬＥＤ等を取り付けた回路基板（図示せず）を装着するためのものであるが、同図に示すように、ハーネス４５をこれら取り付け座５４に沿って引き出す形態としておけば、収容部５１からの引き出し量が大きい場合であってもハーネス４５の支持が安定する。
【００４５】
＜第３実施形態＞
次に、本発明の第３実施形態を図１２ないし図１５を参照して説明する。
第１、２実施形態では、ハーネス４５を仮保持するための保持部をハーネス４５を収容可能な収容部４３によって形成したが、第３実施形態では、弾性片６３により形成している。その他の構成については第１実施形態と同様であるため、同一部品には同一の符号を付し重複した説明を省略するものとする。
【００４６】
図１２に示すように、ホルダ３０の両支持アーム３６、３７の上方には、支持アーム３６、３７の上端面（手段１１の基部に相当する）３６Ａ、３７Ａとの間に、ハーネス４５を仮保持可能な係止溝６１を保有する片持ちの弾性片６３が一体的に形成されている。
弾性片６３は支持アーム３６、３７の上端面３６Ａ、３７Ａに沿って水平に形成されるとともに、その一端側が支持アーム３６、３７の基端側に接続され固定端とされている。一方、他端側は自由端とされ、弾性片６３は上下方向に弾性変位可能とされている。
【００４７】
弾性片６３の自由端における下面側には、下向きに抜止め突起６４が突設されている。この抜止め突起６４の先端は上端面３６Ａ、３７Ａに近接しており、抜止め突起６４の先端と上端面３６Ａ、３７Ａとの間の隙間はハーネス４５が抜け出ないような隙間に設定（係止溝６１をほぼ閉止する設定）されている。かくして、弾性片６３は常には、水平な姿勢にあってハーネス４５を係止溝６１内に仮保持する。一方、この状態から弾性片６３を上方に弾性変位させてやれば、抜止め突起６４が支持アーム３６、３７の上端面３６Ａ、３７Ａから離間して係止溝６１を解放し、これにて、ハーネス４５の仮保持が解かれるように設定されている。
【００４８】
また、座面部３５の裏面であって支持アーム３６の側方には、弾性片６３とほぼ同じ高さ位置に棒状の支柱４０が形成されている。
従って、図１３に示すように、ハーネス４５は通過検出スイッチ２７の端部から弾性片６３の基端側に引き込まれた後、弾性片６３の上方を通過して左方に方向転換し、その後、支柱４０で１８０度折り返されるとともに、係止溝６１に差し込まれる。その後、更に、弾性片６３の上面側に１８０°折り返され、再び、支柱４０に巻かれる。このように、ハーネス４５は支柱４０と弾性片６３に交互に巻かれて、遊技盤１０の左右方向に沿った横向きの姿勢に仮保持される。
尚、この状態が本発明の弾性片を巻き込むように回曲され、かつその一端側が係止溝に差し込まれた状態に相当する。
また、支柱４０については、ハーネス４５の仮保持状態における配索方向を安定させることを目的とするものであるため、支持アーム３６の幅寸法、或いは弾性片６３の幅寸法（同図に示すＡ寸法）を十分に確保することができれば、必ずしも設ける必要はない。
【００４９】
また、弾性片６３の上面の先端側には上向きの外れ止め突起６５が形成されている。この外れ止め突起６５は、弾性片６３の上面側に位置するハーネス４５に当接して、抜止め突起６４と共に係止溝６１に対するハーネス４５の抜止めを図っている。従って、外れ止め突起６５は必須の構成要件ではないが、設定しておけば、ハーネス４５が二重に抜止めされるから仮保持が安定する。
【００５０】
このように、係止溝６１を用いた場合であってもハーネス４５を短く折り返した状態に仮保持することが出来るから、第１実施形態と同様の作用・効果を得ることが出来る。
また、本実施形態において、弾性片６３、支柱４０は左右一対設けられている。このような構成としておけば、図１４に示すように、ハーネス４５を同図の右側へも引き出すことが出来る。従って、使用状況、すなわち、図１に示すように通過チャッカー２５の間に、可変表示装置１５等の大きな装置が配される場合には、これら装置を避けて各通過チャッカー２５のハーネス４５をそれぞれを逆方向（例えば、一方側を右方向、他方側を左方向）に仮保持しておく必要がある。従って、配索方向を選択可能な構成とすることで、これら要請に対応できる。
【００５１】
更に、弾性片６３は支持アーム３６、３７に一体的に形成されているが、弾性片６３は上下方向に撓み、支持アーム３６は水平方向に拡開し、両部材３６、３７、６３の動作方向がほぼ直交する設定となっている。
そのため、ハーネス４５の仮保持解除動作、すなわち、弾性片６３を撓ませる動作を行っても、それに伴って支持アーム３６が拡開することはない。従って、ハーネス４５の仮保持解除作業中に、誤って、通過検出スイッチ２７が脱落する虞がなく、通過検出スイッチ２７の支持の信頼性が高まる。
【００５２】
＜第４実施形態＞
次に、本発明の第４実施形態を図１６、図１７を参照して説明する。
第３実施形態では、ハーネス４５を仮保持するための係止溝６１を、弾性片６３と支持アーム３６、３７の上端面３６Ａ、３７Ａとの間に形成したが、第４実施形態においては係止溝７１を、弾性片７２と通過検出スイッチ２７の上面２７Ａとの間に設定し、仮保持状態において複数個の弾性片７２によりハーネス４５を仮保持している。
図１６に示すように、支持アーム３６の上端面３６Ａ（支持アーム３７側であってもよい）には、遊技盤１０の左右方向に沿う向きに弾性片７２が前後一対設けられている。これら各弾性片７２の自由端側には下向きに抜止め突起７３が設けられている。この抜止め突起７３の先端は通過検出スイッチ２７の上面２７Ａに近接しており、弾性片７２と通過検出スイッチ２７の上面２７Ａとによってハーネス４５を仮保持可能な係止溝７１が形成されている。
【００５３】
これら弾性片７２は遊技盤１０の奥行き方向に並んでいるため、ハーネス４５は両弾性片７２に巻かれた状態で２箇所を抜止めされ、遊技盤１０の奥行き方向に沿う向きに仮保持される。このように、ハーネス４５の複数箇所を支持（抜止め）する構成としておけば、仮保持状態におけるハーネス４５の支持が安定する。その他の構成については第１実施形態と同様であるため、同一部品には同一の符号を付し重複した説明を省略するものとする。
【００５４】
＜第５実施形態＞
本発明の第５実施形態を図１８ないし図２０を参照して説明する。
第１実施形態ないし第４実施形態において、ホルダ３０は通過検出スイッチ２７を覆うカバー部３１と、通過検出スイッチ２７を保持するための支持アーム３６とを一体に形成するものであったが、第３実施形態では、これらを別体にて構成（ホルダ８１をホルダ本体８２、スイッチホルダ８６より構成）し、更に、ハーネス４５を保持する保持部を鉤型係止爪９１により構成するものである。
【００５５】
このようにホルダ８１を別体の構成とするのは、機種の異なるパチンコ機や、或いは同種であってもデザインの異なるパチンコ機においては、遊技盤１０の表面のデザインに合わせてホルダ３０のデザインを変更する場合がある。この場合において、ホルダ８１をホルダ本体８２とスイッチホルダ８６よりなる構成としておき、各パチンコ機のバリエーションに合わせて外観のみ異なるホルダ本体８２のみを新設しておけば、スイッチホルダ８６を共用することが出来る。すなわち、パチンコ機のバリエーション毎にホルダ全体を新設する場合に比較して、ホルダの型費を安価に押さえることが可能となる。
【００５６】
ホルダ８１の具体的な構造について説明すると、ホルダ本体８２は遊技球１９を挿通させるためのカバー部８４と遊技盤１０に当接可能な座面部８３を一体に形成してなる。カバー部８４はコの字状に形成されるともに上下方向に貫通し、遊技球１９を挿通可能としている。一方、座面部８３の中央部分にはカバー部８４に連通する挿通孔８３Ａが設けられており、ここより、次述するスイッチホルダ８６、ひいては通過検出スイッチ２７をカバー部８４内に挿通させるようになっている。
【００５７】
スイッチホルダ８６は、通過検出スイッチ２７が嵌合し得る角筒状の嵌合筒８７を有するとともにその前部側には同図の奥側に伸びる一対のロックアーム８８、及び後端側には同じく一対の支持アーム８９を形成している。このうち、支持アーム８９はその先端側に内向きのロック爪８９Ａを設けているが、これは、嵌合筒８７の内部に差し込まれる通過検出スイッチ２７を抜止め状態に保持するためのものである。
【００５８】
一方、ロックアーム８８はその先端側に外向きのロック爪８８Ａを設けている。このロック爪８８Ａはホルダ本体８２側に係止するためのものであり、ホルダ本体８２のカバー部８４の内壁にはこのロック爪８８Ａと形成可能な受け溝８４Ａが設けられている。そのため、図１９に示すように、スイッチホルダ８６を座面部８３の挿通孔８３Ａからカバー部８４に向けて差し込むと、ロックアーム８８のロック爪８８Ａがカバー部８４の受け溝８４Ａに係止するようになっている。これにて、スイッチホルダ８６、ひいては通過検出スイッチ２７をホルダ本体８２に固定することが出来る。
【００５９】
ところで、スイッチホルダ８６にはハーネス４５を短く折り返した状態に保持しておくための保持部、すなわち鉤型係止爪９１が設けられている。より具体的に説明すると、右側の支持アーム８９の上方には、支持アーム８９に沿うようにして伸びる平板状のアーム部９２が配されておりその基端が嵌合筒８７の端面に接続されている。このアーム部９２の先端側には鉤型のフック部９３が内向きに設けられており、アーム全体がハーネス４５を保持可能な鉤型係止爪９１を構成している。すなわち、図１９に示すように、ハーネス４５は、アーム部９２を上下に巻き込むようにして取り付けられるとともに、アーム部９２に巻き付いた回曲部分がフック部９３内に差し込まれることによって、仮保持されるようになっている。
その他の構成については、第１実施形態と同様であるため、重複した説明については省略する。
【００６０】
＜第６実施形態＞
本発明の第６実施形態を図２０ないし図２２を参照して説明する。
第１実施形態ないし第５実施形態において、仮保持はハーネス４５自体を拘束する形式としたが、第６実施形態はハーネス４５の先端に設けられたコネクタ４７を支持するものである。
コネクタ４７を支持する構造としては、例えば、図２１に示すように、コネクタ４７に係止片４７Ａを設ける一方、ホルダ３０の支持アーム３６に係止片４７Ａと嵌合可能な受け部９４を設けておき、係止片４７Ａを受け部９４に差し込むことでコネクタ４７を支持させる構成としておけばよい。
こうした構成としておけば、ハーネス４５を支持する形式と比べて支持部分が安定するし、ハーネス４５を解除方向に引っ張ってやれば解除出来るから、作業性にも優れる。
【００６１】
＜第７実施形態＞
本発明の第７実施形態を図２３ないし図２５を参照して説明する。
第１実施形態ないし第６実施形態において、保持部はハーネス４５を正規接続作業が開始される前の時点において仮保持する形式であったが、第７実施形態においては、正規接続作業が完了した後においても、保持部がハーネス４５の一部を補助的に保持（一部保持）するものである。
【００６２】
図２３に示すように、保持部は支持アーム３７の先端側に形成された片持ちの弾性片７５よりなる。弾性片７５はハーネス４５を保持（仮保持及び一部保持）可能な係止溝７７を間に保有して一対設けられるとともに、両弾性片７５の先端部分には内向きに抜止め突起７５Ａが設けられており、係止溝７７を閉止するようになっている。
尚、この場合、弾性片７５が手段１１の基部を構成している。
【００６３】
同図に示すように、遊技盤１０に対して取り付けられる前に状態において、ハーネス４５は通過検出スイッチ２７の端部から弾性片７５の基端側に引き込まれた後、係止溝７７を通されて同図の左側へ引き出される。その後、１８０度折り返されて方向転換するとともに弾性片７５の下側を通されつつ再び１８０度折り返される。そして、係止溝７７内を通されて同図の左側へ引き出される。これを数回繰り返すことでハーネス４５は短く折り返されホルダ３０の長さ方向に沿った状態に仮保持される。
【００６４】
そして、この状態で遊技盤１０に対する組み付けが行われる。図２４は遊技盤１０に対する組み付けが完了した状態を示す断面図であるが、ハーネス４５は遊技盤１０の裏面上を沿うようにして配置（本実施形態では遊技盤の左右方向に沿う向きとなる）されている。尚、本実施形態において仮保持されたハーネスの全長寸法（同図のＬ寸法）が遊技盤１０の取り付け孔１４より広くなっているが、ハーネス４５を遊技盤１０に対して取り付ける際にはコネクタ４７及びハーネス４５のうち取り付け孔１４からはみ出した部分を予め取り付け孔１４に沿う向きに手で矯正させておき、その状態で取り付けを行えばよい。
【００６５】
遊技盤１０に対する組み付けが完了した後には、ハーネス４５の正規接続作業が行われる。この実施形態においては、正規接続作業を行うに際して、仮保持状態にあるハーネス４５の一部だけ仮保持を解き（例えば、仮保持状態の際に弾性片７５に５回巻かれた状態にあれば３巻き分だけ仮保持を解く）、残った他の一部（２巻き分）のハーネス４５については引き続いてハーネス４５を仮保持させたままの状態にしておき、その状態でコネクタ４７を制御基板２１側の相手側コネクタ２１Ａに対して差込んでやる。このように、正規接続作業が完了した後においても、保持部を用いてハーネス４５の一部を保持（一部保持）しておく構成としておけば、以下の効果が得られる。すなわち、他のパチンコ機と通過チャッカー２５を共通使用する場合には、ハーネスの長さ寸法を最も長い仕様のものにあわせておく必要があるが、この場合、短い仕様のものにおいては、本来必要なハーネス４５の長さより現実のハーネス４５の長さの方が長くなる。そのため、制御基板２１への接続が完了したのちハーネス４５に遊びが出来てしまう場合があり、更に、こうした遊び部分が他の部品の取り付けスペースに被って組み付けの邪魔となることがある。しかし、保持部（弾性片７５）によって、ハーネス４５を一部保持しておく構成としておけば、正規接続作業が完了した後において、常にハーネス４５を適度な長さ寸法となるように束ねておくことが出来る。
【００６６】
尚、前述したように弾性片７５の先端には抜止め突起７５Ａが設けられているが、この抜止め突起７５Ａは必須の構成ではない。すなわち、係止溝７７の幅寸法をハーネス４５の線径とほぼ同一か、或いは幾らか小さく設定しておき、係止溝７７内のハーネス４５を両弾性片７５によって挟持する構成としておけば、抜止め突起７５Ａを設けることなくハーネス４５を保持することが出来る。また、このような構成（内向きの突起７５Ａを設けない構成）とすることで、ホルダ３０を製造する金型の構造（型抜き）が容易となるから製造コストが安価となる。
【００６７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６８】
（１）第３実施形態、第４実施形態及び第７実施形態では弾性片６３、７２を支持アーム３６、３７に設定したが、弾性片７５の設置部位は支持アーム３６、３７に限定されるものでなく、例えば、図２６に示すように弾性片９８を両支持アーム３６、３７を架設する保護壁９９に設けてもよい。
【図面の簡単な説明】
【図１】第１実施形態における遊技盤の正面図
【図２】通過チャッカーの分解斜視図
【図３】通過チャッカーの斜視図
【図４】通過チャッカーの組み付け前の状態を表す断面図
【図５】通過チャッカーが遊技盤に組み付けられた状態を表す断面図
【図６】遊技盤の裏面側を表に向けた状態を表す断面図
【図７】通過チャッカーのコネクタの配線作業が完了した状態を表す断面図
【図８】第２実施形態におけるホルダの斜視図
【図９】通過チャッカーが組み付けられた状態を表す斜視図
【図１０】ホルダの斜視図
【図１１】ホルダの斜視図
【図１２】第３実施形態に適用されたホルダの斜視図
【図１３】通過チャッカーが組み付けられた状態を示す斜視図
【図１４】ハーネスを前方に引き出した状態を表す斜視図
【図１５】通過チャッカーを遊技盤に取り付け状態を表す断面図
【図１６】第４実施形態におけるホルダの斜視図
【図１７】通過検出チャッカーを取り付けた状態を表す斜視図
【図１８】第５実施形態における通過チャッカーの分解斜視図
【図１９】通過チャッカーを取り付けた状態を表す断面図
【図２０】第６実施形態におけるホルダの斜視図
【図２１】通過検出チャッカーが組み付けられた状態を表す斜視図
【図２２】遊技盤に取り付けられた状態を表す断面図
【図２３】第７実施形態における通過チャッカーの斜視図
【図２４】ハーネスの仮保持状態を表す断面図
【図２５】ハーネスの一部保持状態を表す断面図
【図２６】他の実施形態における通過チャッカーの斜視図
【符号の説明】
１０…遊技盤
２５…通過チャッカー
２７…通過検出スイッチ（電子部品本体）
２７Ａ…上面
３０…ホルダ
３１…カバー部
３５…座面部
３６…支持アーム
３７…保護壁
４３…収容部（保持部）
４５…ハーネス
【図１】
2004267366.tif 000003
【図２】
2004267366.tif 000004
【図３】
2004267366.tif 000005
【図４】
2004267366.tif 000006
【図５】
2004267366.tif 000007
【図６】
2004267366.tif 000008
【図７】
2004267366.tif 000009
【図８】
2004267366.tif 000010
【図９】
2004267366.tif 000011
【図１０】
2004267366.tif 000012
【図１１】
2004267366.tif 000013
【図１２】
2004267366.tif 000014
【図１３】
2004267366.tif 000015
【図１４】
2004267366.tif 000016
【図１５】
2004267366.tif 000017
【図１６】
2004267366.tif 000018
【図１７】
2004267366.tif 000019
【図１８】
2004267366.tif 000020
【図１９】
2004267366.tif 000021
【図２０】
2004267366.tif 000022
【図２１】
2004267366.tif 000023
【図２２】
2004267366.tif 000024
【図２３】
2004267366.tif 000025
【図２４】
2004267366.tif 000026
【図２５】
2004267366.tif 000027
【図２６】
2004267366.tif 000028